(57)【要約】【課題】低温時の燃料電池スタックへの水素ガスの確実な供給と高温時の水素インジェクタの耐久性を両立する。【解決手段】燃料電池システムの水素供給装置は、燃料電池スタック１０と水素タンク３２とを互いに連結する水素ガス供給路３１と、水素ガス供給路内に互いに並列に配置された高温用水素インジェクタ３５Ｈ及び低温用水素インジェクタ３５Ｌとを備える。低温用水素インジェクタの最低動作温度は高温用水素インジェクタの最低動作温度よりも低く設定されている。水素インジェクタの温度を代表する代表温度が高温用水素インジェクタの最低動作温度に応じて定まる設定温度よりも高いときには高温用水素インジェクタのみ又は高温用水素インジェクタ及び低温用水素インジェクタを使用し、代表温度が設定温度よりも低いときには低温用水素インジェクタのみを使用する。【選択図】図１
2015191733.tif 000002
【特許請求の範囲】
【請求項１】
水素と酸素との電気化学反応により電力を発生する燃料電池スタックと水素タンクとを互いに連結する水素ガス供給路と、
水素ガス供給路内に互いに並列に配置された高温用水素インジェクタ及び低温用水素インジェクタであって、低温用水素インジェクタの最低動作温度が高温用水素インジェクタの最低動作温度よりも低く設定されている高温用水素インジェクタ及び低温用水素インジェクタと、
を備え、
高温用水素インジェクタ及び低温用水素インジェクタの一方又は両方を使用して水素タンクからの水素ガスを燃料電池スタックに供給するようにした、燃料電池システムの水素供給装置であって、
高温用水素インジェクタ及び低温用水素インジェクタの温度を代表する代表温度を検出する温度検出器を備え、
代表温度が高温用水素インジェクタの最低動作温度に応じて定まる設定温度よりも高いときには高温用水素インジェクタのみ又は高温用水素インジェクタ及び低温用水素インジェクタを使用して水素ガスを燃料電池スタックに供給し、
代表温度が前記設定温度よりも低いときには低温用水素インジェクタのみを使用して水素ガスを燃料電池スタックに供給する、
燃料電池システムの水素供給装置。
【発明の詳細な説明】
【技術分野】
【０００１】
本発明は燃料電池システムの水素供給装置に関する。
【背景技術】
【０００２】
水素と酸素との電気化学反応により電力を発生する燃料電池スタックと水素タンクとを互いに連結する水素ガス供給路と、水素ガス供給路内に互いに並列に配置された複数の水素インジェクタと、を備え、水素インジェクタの一部又は全部を使用して燃料電池スタックに水素タンクからの水素ガスを供給するようにした、燃料電池システムの水素供給装置が公知である（特許文献１参照）。
【先行技術文献】
【特許文献】
【０００３】
【特許文献１】国際公開第２０１１／０８６６０３号
【発明の概要】
【発明が解決しようとする課題】
【０００４】
一般的には、水素タンクには水素ガスが高圧で蓄えられており、この水素タンクから水素ガスが燃料電池スタックに供給される。ここで、水素ガスが水素タンクから供給されると、すなわち水素タンク内の水素ガス量が減少すると、水素タンク内で断熱膨張が生じ、それにより水素ガスの温度が低下する。このため、多量の水素ガスが長時間にわたって水素インジェクタにより供給されると、水素インジェクタの温度がかなり低くなる。
【０００５】
一方、通常、水素インジェクタには、水素インジェクタが正常に動作しうる最低の温度、すなわち最低動作温度が設定されている。言い換えると、水素インジェクタの温度がその最低動作温度以上であれば、水素インジェクタは正常に動作可能である。したがって、水素インジェクタの最低動作温度を低く設定すれば、水素インジェクタが上述したような低温域にあるときでも正常に動作することができる。
【０００６】
水素インジェクタの最低動作温度は例えば水素インジェクタのゴム製シールの特性に依存する。すなわち、低温で使用可能なゴム製シールを用いれば、水素インジェクタの最低動作温度を低く設定することができる。ところが、水素インジェクタの最低動作温度を低く設定すると、すなわち低温で使用可能なゴム製シールを用いると、このようなゴム製シールは温度が高くなると耐久性が低下する場合がある。したがって、高温時の水素インジェクタの耐久性が低いおそれがある。
【課題を解決するための手段】
【０００７】
本発明によれば、水素と酸素との電気化学反応により電力を発生する燃料電池スタックと水素タンクとを互いに連結する水素ガス供給路と、水素ガス供給路内に互いに並列に配置された高温用水素インジェクタ及び低温用水素インジェクタであって、低温用水素インジェクタの最低動作温度が高温用水素インジェクタの最低動作温度よりも低く設定されている高温用水素インジェクタ及び低温用水素インジェクタと、を備え、高温用水素インジェクタ及び低温用水素インジェクタの一方又は両方を使用して水素タンクからの水素ガスを燃料電池スタックに供給するようにした、燃料電池システムの水素供給装置であって、高温用水素インジェクタ及び低温用水素インジェクタの温度を代表する代表温度を検出する温度検出器を備え、代表温度が高温用水素インジェクタの最低動作温度に応じて定まる設定温度よりも高いときには高温用水素インジェクタのみ又は高温用水素インジェクタ及び低温用水素インジェクタを使用して水素ガスを燃料電池スタックに供給し、代表温度が前記設定温度よりも低いときには低温用水素インジェクタのみを使用して水素ガスを燃料電池スタックに供給する、燃料電池システムの水素供給装置が提供される。
【発明の効果】
【０００８】
低温時の燃料電池スタックへの水素ガスの確実な供給と高温時の水素インジェクタの耐久性を両立することができる。
【図面の簡単な説明】
【０００９】
【図１】燃料電池システムの全体図である。
【図２】水素インジェクタの部分拡大断面図である。
【図３】水素インジェクタの温度域を説明する線図である。
【図４】インジェクタ制御を実行するルーチンを示すフローチャートである。
【発明を実施するための形態】
【００１０】
図１を参照すると、燃料電池システムＡは燃料電池スタック１０を備える。燃料電池スタック１０は積層方向に互いに積層された複数の燃料電池単セルを備える。各燃料電池単セルは膜電極接合体２０を含む。膜電極接合体２０は膜状の電解質と、電解質の一側に形成されたアノード極と、電解質の他側に形成されたカソード極とを備える。
【００１１】
燃料電池単セルのアノード極及びカソード極はそれぞれ直列に電気的に接続され、燃料電池スタック１０の電極を構成する。燃料電池スタック１０の電極はＤＣ／ＤＣコンバータ１１を介してインバータ１２に電気的に接続され、インバータ１２はモータジェネレータ１３に電気的に接続される。また、燃料電池システムＡは蓄電器１４を備えており、この蓄電器１４はＤＣ／ＤＣコンバータ１５を介して上述のインバータ１２に電気的に接続される。ＤＣ／ＤＣコンバータ１１は燃料電池スタック１０からの電圧を高めてインバータ１２に送るためのものであり、インバータ１２はＤＣ／ＤＣコンバータ１１又は蓄電器１４からの直流電流を交流電流に変換するためのものである。ＤＣ／ＤＣコンバータ１５は燃料電池スタック１０又はモータジェネレータ１３から蓄電器１４への電圧を低くし、又は蓄電器１４からモータジェネレータ１３への電圧を高くするためのものである。なお、図１に示される燃料電池システムＡでは蓄電器１４はバッテリから構成される。
【００１２】
また、燃料電池単セル内には、アノード極に燃料ガスである水素ガスを供給するための水素ガス流通路と、カソード極に酸化剤ガスである空気を供給する空気流通路と、燃料電池単セルに冷却水を供給するための冷却水流通路とがそれぞれ形成される。複数の燃料電池単セルの水素ガス流通路、空気流通路、及び冷却水流通路をそれぞれ直列に接続することにより、燃料電池スタック１０には水素ガス通路３０、空気通路４０、及び冷却水通路５０がそれぞれ形成される。
【００１３】
水素ガス通路３０の入口には水素ガス供給路３１が連結され、水素ガス供給路３１は燃料ガス源である水素タンク３２に連結される。水素ガス供給路３１内には上流側から順に、遮断弁３３と、水素ガス供給路３１内の水素ガスの圧力を調整するレギュレータ３４と、水素タンク３２からの水素ガスを燃料電池スタック１０に供給するための複数の電磁式水素インジェクタ３５Ｈ，３５Ｌと、が配置される。この場合、水素インジェクタ３５Ｈ，３５Ｌは水素ガス供給路３１内に互いに並列に配置される。一方、水素ガス通路３０の出口にはアノードオフガス通路３６が連結される。遮断弁３３が開弁されかつ水素インジェクタ３５Ｈ，３５Ｌが開弁されると、水素タンク３２内の水素ガスが水素ガス供給路３１を介して燃料電池スタック１０内の水素ガス通路３０内に供給される。このとき水素ガス通路３０から流出するガス、すなわちアノードオフガスはアノードオフガス通路３６内に流入する。
【００１４】
また、空気通路４０の入口には空気供給路４１が連結され、空気供給路４１は空気源である大気４２に連結される。空気供給路４１内には上流側から順に、エアクリーナ４３と、空気を圧送する空気供給器ないしコンプレッサ４４と、コンプレッサ４４から燃料電池スタック１０に送られる空気を冷却するためのインタークーラ４５と、が配置される。一方、空気通路４０の出口にはカソードオフガス通路４６が連結される。コンプレッサ４４が駆動されると、空気が空気供給路４１を介して燃料電池スタック１０内の空気通路４０内に供給される。このとき空気通路４０から流出するガス、すなわちカソードオフガスはカソードオフガス通路４６内に流入する。カソードオフガス通路４６内にはカソードオフガス通路４６内を流れるカソードオフガスの量を制御するカソードオフガス制御弁４７が配置される。
【００１５】
更に図１を参照すると、冷却水通路５０の入口には冷却水供給路５１の一端が連結され、冷却水供給路５１の出口には冷却水供給路５１の他端が連結される。冷却水供給路５１内には冷却水を圧送する冷却水ポンプ５２と、ラジエータ５３とが配置される。ラジエータ５３上流の冷却水供給路５１と、ラジエータ５３と冷却水ポンプ５２間の冷却水供給路５１とはラジエータバイパス通路５４により互いに連結される。また、ラジエータバイパス通路５４内を流れる冷却水量を制御するラジエータバイパス制御弁５５が設けられる。図１に示される燃料電池システムＡではラジエータバイパス制御弁５５は三方弁から形成され、ラジエータバイパス通路５４の出口に配置される。冷却水ポンプ５２が駆動されると、冷却水ポンプ５２から吐出された冷却水は冷却水供給路５１を介して燃料電池スタック１０内の冷却水通路５０内に流入し、次いで冷却水通路５０を通って冷却水供給路５１内に流入し、ラジエータ５３又はラジエータバイパス通路５４を介して冷却水ポンプ５２に戻る。
【００１６】
電子制御ユニット６０はデジタルコンピュータからなり、双方向性バス６１によって互いに接続されたＲＯＭ（リードオンリメモリ）６２、ＲＡＭ（ランダムアクセスメモリ）６３、ＣＰＵ（マイクロプロセッサ）６４、入力ポート６５及び出力ポート６６を具備する。レギュレータ３４と水素インジェクタ３５Ｈ，３５Ｌとの間の水素ガス供給路３１には、水素インジェクタ３５Ｈ，３５Ｌに送られる水素ガスの温度を検出する温度センサ６９が取り付けられる。温度センサ６９により検出される水素ガスの温度は水素インジェクタ３５Ｈ，３５Ｌを代表する。温度センサ６９の出力信号は対応するＡＤ変換器６７を介して入力ポート６５に入力される。一方、出力ポート６６は対応する駆動回路６８を介して遮断弁３３、レギュレータ３４、水素インジェクタ３５Ｈ，３５Ｌ、コンプレッサ４４、カソードオフガス制御弁４７、冷却水ポンプ５２、及びラジエータバイパス制御弁５５に電気的に接続される。
【００１７】
図２は水素インジェクタ３５Ｈ，３５Ｌの一例を示している。水素インジェクタ３５Ｈ，３５Ｌはケーシング８０を備える。ケーシング８０内には互いに連通するプランジャ収容孔８１と水素ガス流出孔８２とが形成される。プランジャ収容孔８１は水素ガス供給路３１を介してレギュレータ３４に連結され、水素ガス流出孔８２は水素ガス供給路３１を介して燃料電池スタック１０に連結される。水素ガス流出孔８２の開口部周りのプランジャ収容孔８１内壁面には弁座８３が形成される。また、プランジャ収容孔８１内にはプランジャ８４が軸線方向に移動可能に収容される。プランジャ８４は底端においてゴム製シール８５を備える。シール８５は環状の凸部を有する。
【００１８】
プランジャ８４はソレノイド（図示しない）により軸線方向に移動される。プランジャ８４が弁座８３から離れる方向に移動されると、プランジャ収容孔８１と水素ガス流出孔８２とが互いに連通され、すなわち水素インジェクタ３５Ｈ，３５Ｌが開弁される。その結果、水素インジェクタ３５Ｈ，３５Ｌから水素が供給される。これに対し、プランジャ８４が弁座８３に近づく方向に移動されてシール８５が弁座８３に着座すると、プランジャ収容孔８１と水素ガス流出孔８２との連通が遮断され、すなわち水素インジェクタ３５Ｈ，３５Ｌが閉弁される。その結果、水素インジェクタ３５Ｈ，３５Ｌからの水素供給が停止される。なお、開弁時間を制御することにより水素インジェクタ３５Ｈ，３５Ｌからの水素供給量が制御される。
【００１９】
本発明による実施例では、水素インジェクタ３５Ｌの最低動作温度が水素インジェクタ３５Ｈの最低動作温度よりも低く設定される。すなわち、水素インジェクタ３５Ｈの最低動作温度は例えばマイナス３０℃に設定され、水素インジェクタ３５Ｌの最低動作温度は例えばマイナス４０℃に設定される。以下では、水素インジェクタ３５Ｌを低温用水素インジェクタと称し、水素インジェクタ３５Ｈを高温用水素インジェクタと称することにする。なお、水素インジェクタの最低動作温度は例えば水素インジェクタのゴム製シールの特性に依存するので、低温用水素インジェクタ３５Ｌのシール８５は高温用水素インジェクタ３５Ｈのシール８５と異なっており、低温域で使用可能なゴム製シールから形成されているということになる。
【００２０】
さて、燃料電池スタック１０で発電すべきときには遮断弁３３及び水素インジェクタ３５Ｈ，３５Ｌが開弁され、水素ガスが燃料電池スタック１０に供給される。また、コンプレッサ４４が駆動され、空気が燃料電池スタック１０に供給される。その結果、燃料電池単セルにおいて電気化学反応（Ｏ２＋４Ｈ＋＋４ｅ−→２Ｈ２Ｏ）が起こり、電気エネルギが発生される。この発生された電気エネルギはモータジェネレータ１３に送られる。その結果、モータジェネレータ１３が車両駆動用の電気モータとして作動され、車両が駆動される。一方、例えば車両制動時にはモータジェネレータ１３が回生装置として作動し、このとき回生された電気エネルギは蓄電器１４に蓄えられる。
【００２１】
次に、図３を参照しながら、高温用水素インジェクタ３５Ｈ及び低温用水素インジェクタ３５Ｌの制御について説明する。
温度センサ６９により検出される代表温度Ｔｉｎｊがあらかじめ定められた第１の設定温度ＴＳ１以上でかつあらかじめ定められた第２の設定温度ＴＳ２（＞ＴＳ１）未満のとき、すなわち高温用水素インジェクタ３５Ｈ及び低温用水素インジェクタ３５Ｌが図３に示される常温域ＲＮにあるときには、高温用水素インジェクタ３５Ｈ及び低温用水素インジェクタ３５Ｌが均等に使用される。すなわち、高温用水素インジェクタ３５Ｈからの水素ガス量と低温用水素インジェクタ３５Ｌからの水素ガス量とがほぼ等しくされる。その結果、多量の水素ガスを確実に燃料電池スタック１０に供給することができる。ここで、第１の設定温度ＴＳ１は高温用水素インジェクタ３５Ｈの最低動作温度に応じて定められる。一例では、第１の設定温度ＴＳ１は第１の設定温度ＴＳ１は高温用水素インジェクタ３５Ｈの最低動作温度に設定される。別の例では、第１の設定温度ＴＳ１は高温用水素インジェクタ３５Ｈの最低動作温度に代表温度Ｔｉｎｊの測定の際に生じうる最大の誤差を加算したものに設定される。すなわち、高温用水素インジェクタ３５Ｈの最低動作温度がマイナス３０℃であり、生じうる最大の測定誤差が５℃の場合には第１の設定温度ＴＳ１は例えばマイナス２５℃に設定される。
【００２２】
一方、代表温度Ｔｉｎｊが第２の設定温度ＴＳ２以上のとき、すなわち高温用水素インジェクタ３５Ｈ及び低温用水素インジェクタ３５Ｌが図３に示される高温域ＲＨにあるときには、高温用水素インジェクタ３５Ｈが優先的に使用され、低温用水素インジェクタ３５Ｌが劣後的に使用される。すなわち、高温用水素インジェクタ３５Ｈからの平均水素ガス供給量が低温用水素インジェクタ３５Ｌからの平均水素ガス供給量よりも多くされる。これを達成するために、例えば、燃料電池スタック１０に供給すべき水素ガス量すなわち要求水素ガス量があらかじめ定められた設定量よりも少ないときには高温用水素インジェクタ３５Ｈのみが使用され、要求水素ガス量がこの設定量よりも多いときには設定量の水素ガスが高温用水素インジェクタ３５Ｈから供給されると共に、残りの水素ガスが低温用水素インジェクタ３５Ｌから供給される。ここで、第２の設定温度ＴＳ２は低温用水素インジェクタ３５Ｌの耐久性が許容レベルとなる温度、例えば３０℃に設定される。
【００２３】
上述したように、低温用水素インジェクタ３５Ｌは最低動作温度が低く設定されており、すなわち低温用水素インジェクタ３５Ｌのゴム製シール８５は低温でも使用可能なゴムから形成される。このように低温で使用可能なゴム製シールは温度が高くなると耐久性が低下する場合がある。言い換えると、高温用水素インジェクタ３５Ｈは温度が高いときでも優れた耐久性を有する。そこで図３に示される例では、高温域ＲＨでは、低温用水素インジェクタ３５Ｌが劣後的に使用され、高温用水素インジェクタ３５Ｈが優先的に使用される。その結果、高温域ＲＨにおいて低温用水素インジェクタ３５Ｌの耐久性を高めることができる。
【００２４】
一方、代表温度Ｔｉｎｊが第１の設定温度ＴＳ１未満でかつ低温用水素インジェクタ３５Ｌの最低動作温度ＴＬＯＬ以上のとき、すなわち高温用水素インジェクタ３５Ｈ及び低温用水素インジェクタ３５Ｌが図３に示される低温域ＲＬにあるときには、高温用水素インジェクタ３５Ｈが作動停止され、低温用水素インジェクタ３５Ｌのみが使用される。その結果、燃料電池スタック１０への水素ガス供給を確実に継続することができる。この場合、燃料電池スタック１０に供給される水素ガス量は、高温用水素インジェクタ３５Ｈ及び低温用水素インジェクタ３５Ｌの両方が使用される場合に比べて、制限されることになる。ここで、水素ガスが供給されることにより水素ガスの温度が低下することを考えると、水素ガス供給量が制限されることにより水素ガスの温度低下が抑制される。その結果、高温用水素インジェクタ３５Ｈ及び低温用水素インジェクタ３５Ｌの温度が高められ又は回復する。
【００２５】
更に、代表温度Ｔｉｎｊが低温用水素インジェクタ３５Ｌの最低動作温度ＴＬＯＬよりも低いとき、すなわち高温用水素インジェクタ３５Ｈ及び低温用水素インジェクタ３５Ｌが図３に示される極低温域ＲＥＬにあるときには、高温用水素インジェクタ３５Ｈ及び低温用水素インジェクタ３５Ｌは作動停止される。すなわち、高温用水素インジェクタ３５Ｈ及び低温用水素インジェクタ３５Ｌによる燃料電池スタック１０への水素供給が停止される。その結果、高温用水素インジェクタ３５Ｈ及び低温用水素インジェクタ３５Ｌの異常動作が阻止される。また、高温用水素インジェクタ３５Ｈ及び低温用水素インジェクタ３５Ｌの温度が高められ又は回復する。
【００２６】
したがって、概念的にいうと、代表温度Ｔｉｎｊが高温用水素インジェクタ３５Ｈの最低動作温度に応じて定まる設定温度ＴＳ１よりも高いときには高温用水素インジェクタ３５Ｈのみ又は高温用水素インジェクタ３５Ｈ及び低温用水素インジェクタ３５Ｌを使用して水素ガスを燃料電池スタック１０に供給し、代表温度Ｔｉｎｊが設定温度ＴＳ１よりも低いときには低温用水素インジェクタ３５Ｌのみを使用して水素ガスを燃料電池スタック１０に供給する、ということになる。その結果、低温時の燃料電池スタック１０への水素ガスの確実な供給と高温時の水素インジェクタの耐久性を両立することができる。
【００２７】
なお、複数の水素インジェクタを用いて燃料電池スタック１０に水素ガスを供給する場合、すべての水素インジェクタの最低動作温度を低く設定すれば、低温時の燃料電池スタック１０へ水素ガスを確実に供給できる。しかしながら、水素インジェクタの最低動作温度を低く設定するために必要なゴム製シールは比較的高価である。したがって、本発明による実施例のように、複数の水素インジェクタ３５Ｈ，３５Ｌのうち一部の水素インジェクタの最低動作温度を低く設定することにより、コストを抑制しつつ、低温時の確実な水素ガス供給を確保することができる。
【００２８】
図４は上述したインジェクタ制御を実行するルーチンを示している。このルーチンはあらかじめ定められた設定時間ごとの割り込みによって実行される。
図４を参照すると、ステップ１００では代表温度Ｔｉｎｊが低温用水素インジェクタ３５Ｌの最低動作温度ＴＬＯＬよりも低いか否かが判別される。Ｔｉｎｊ＜ＴＬＯＬのときには次いでステップ１０１に進み、低温用水素インジェクタ３５Ｌ及び高温用水素インジェクタ３５Ｈの使用が禁止される。これに対し、Ｔｉｎｊ≧ＴＬＯＬのときにはステップ１００からステップ１０２に進み、代表温度Ｔｉｎｊが第１の設定温度ＴＳ１よりも低いか否かが判別される。Ｔｉｎｊ＜ＴＳ１のときには次いでステップ１０３に進み、燃料電池スタック１０に水素ガスを供給するために低温用水素インジェクタ３５Ｌのみが用いられる。これに対し、Ｔｉｎｊ≧ＴＳ１のときにはステップ１０２からステップ１０４に進み、代表温度Ｔｉｎｊが第２の設定温度ＴＳ２よりも低いか否かが判別される。Ｔｉｎｊ＜ＴＳ２のときにはステップ１０５に進み、燃料電池スタック１０に水素ガスを供給するために低温用水素インジェクタ３５Ｌ及び高温用水素インジェクタ３５Ｈが均等に用いられる。これに対し、Ｔｉｎｊ≧ＴＳ２のときにはステップ１０４からステップ１０６に進み、燃料電池スタック１０に水素ガスを供給するために高温用水素インジェクタ３５Ｈが優先的に用いられる。
【００２９】
これまで述べてきた本発明による実施例では、第２の設定温度ＴＳ２を設定し、代表温度Ｔｉｎｊが第１の設定温度ＴＳ１以上でかつ第２の設定温度ＴＳ２未満のときには燃料電池スタック１０に水素ガスを供給するために低温用水素インジェクタ３５Ｌ及び高温用水素インジェクタ３５Ｈが均等に用いられ、代表温度Ｔｉｎｊが第２の設定温度ＴＳ２以上のときには高温用水素インジェクタ３５Ｈが優先的に用いられる。本発明による別の実施例では、第２の設定温度ＴＳ２が設定されない。この場合の制御の一例では、代表温度Ｔｉｎｊが第１の設定温度ＴＳ１以上のときには、低温用水素インジェクタ３５Ｌ及び高温用水素インジェクタ３５Ｈが均等に用いられる。別の制御例では、代表温度Ｔｉｎｊが第１の設定温度ＴＳ１以上のときには、高温用水素インジェクタ３５Ｈが優先的に用いられる。
【００３０】
また、これまで述べてきた本発明による実施例では、代表温度Ｔｉｎｊとして水素ガスの温度が用いられる。本発明による別の実施例では、水素インジェクタ３５Ｈ，３５Ｌの温度を検出する温度センサが設けられ、温度センサにより検出される水素インジェクタ３５Ｈ，３５Ｌの温度が代表温度Ｔｉｎｊとして用いられる。更に別の実施例では、例えば水素インジェクタ３５Ｈ，３５Ｌから供給される水素ガス量の履歴及び外気温度に基づいて水素インジェクタ３５Ｈ，３５Ｌの温度が推定され、推定温度が代表温度Ｔｉｎｊとして用いられる。この場合の第１の設定温度ＴＳ１は高温用水素インジェクタ３５Ｈの最低動作温度に代表温度Ｔｉｎｊの推定の際に生じうる最大の誤差を加算したものに設定することができる。
【符号の説明】
【００３１】
１０    燃料電池スタック
３１    水素ガス供給路
３２    水素タンク
３５Ｈ    高温用水素インジェクタ
３５Ｌ    低温用水素インジェクタ
６９    温度センサ
【図１】
2015191733.tif 000003
【図２】
2015191733.tif 000004
【図３】
2015191733.tif 000005
【図４】
2015191733.tif 000006